(57)【特許請求の範囲】
【請求項１】
データが磁気的に記憶された磁気記憶媒体と接触して当該データを読み取るデータ読取り機と、前記データ読取り機により読み取られたデータに基づいて各種演算処理を行なう制御部とを備える装置本体と、
少なくとも前記データ読取り機が設けられた操作面を露出させる開口部を有し、前記開口部を除く前記装置本体の他の各面を覆うように形成された装置本体カバーと、
前記装置本体カバーの前記開口部の一側に回動可能に支持され、前記操作面を覆う閉位置または前記操作面を開放する開位置に開閉操作される扉と、
前記扉の背面側に固定された磁性材からなる被吸着部材と、
前記扉が閉位置にあるとき前記被吸着部材に当接して吸着するように前記装置本体カバー側に取り付けられた永久磁石と、
を有するデータ入出力装置において、
前記永久磁石の周囲を覆うように非磁性材により形成され、前記装置本体カバーから離間した位置に取り付けられた磁石保持部材を備え、
前記磁石保持部材は、前記永久磁石を前記装置本体カバーの前側縁部より前記装置本体カバー内に所定距離引っ込んだ位置に保持し、
前記被吸着部材を前記扉の背面側から前記装置本体カバー内に前記所定距離突出した形状としたことを特徴とするデータ入出力装置。
【請求項２】
前記永久磁石は、前記装置本体カバーと前記磁気記憶媒体のデータが消去されない距離離間することを特徴とする請求項１記載のデータ入出力装置。
【請求項３】
前記永久磁石は、前記装置本体カバーの天板から離間した位置に設けられたことを特徴とする請求項１又は２に記載のデータ入出力装置。
【発明の詳細な説明】
【技術分野】
【０００１】
本発明はデータ入出力装置に係り、特に磁気記憶媒体に記憶されたデータを読み取るデータ読取り機を収容する装置本体カバーの扉を永久磁石により閉位置に吸着するよう構成されたデータ入出力装置に関する。
【背景技術】
【０００２】
例えば、多数のトラックやバス、タクシー等の車両を所有する会社では、自社の敷地内に給油装置（燃料供給装置）を設置し、運転者が車両の燃料タンクに給油操作を行なうようにしている。この種の自家用の燃料供給システムでは、燃料供給情報を入力するデータ入出力装置(以下「設定装置」という)により給油すべき給油ノズル(油種)及び給油量などの燃料供給情報を設定することにより、選択された給油ノズルによる給油が可能になる（特許文献１を参照）。
【０００３】
この設定装置は、屋外に設置されており、カードリーダ、液晶モニタ、各種操作スイッチ等のデータを入出力するための電子部品を風雨から守るため、前面側が開口部とされた箱状の装置本体カバー内に収容し、且つ装置本体カバーの開口部を開閉する扉が回動可能に設けられている。装置本体カバーの扉は、操作するときのみ開位置に回動されて装置前面に形成された操作面を露出し、操作が行なわれないときは、閉位置に保持されている。
【０００４】
従って、装置本体カバーの扉は、運転者が入力操作を行なう際に開位置に回動操作され、入力操作終了後に運転者が手を離すと、閉方向に付勢するばね部材のばね力により閉位置に復帰する。そして、閉位置に復帰した扉は、鉄板により形成されているので、装置本体カバーの前縁に固定された永久磁石の磁力によって吸着される。このため、風雨の強い日でも扉が風圧によって開くことが防止される。
【０００５】
また、運転者(操作者)は、装置本体カバーの扉が閉位置に戻らないように扉を開位置に手で押さえながら予め登録されたデータ（ＩＤ）が記憶された磁気カード（磁気式記憶媒体）を設定装置に設けられたカードリーダに通過させる。これにより、カードリーダは、磁気ヘッドに摺接された磁気カードに記憶されたデータを読み取って給油を行なう運転者の氏名、車両番号を認識する。設定装置では、カードリーダに通された磁気カードが読みとったカードデータが予め登録されたデータと一致した場合には、正規のカードであると判断して給油許可を出力する。
【０００６】
そして、運転者は、表示装置の表示画面を確認しながら給油すべき車両のエンジンに応じた油種を供給することができる未使用の給油ノズル（ノズル番号）を選択し、選択した給油ノズル（ノズル番号）に対する給油量（満タン給油またはプリセット給油）の設定操作を行なう。入力操作終了後に運転者が扉を押さえていた手を扉から離すと、扉はばね部材のばね力により自動的に閉位置に回動する。
【特許文献１】特開２００１−１０５６８８号公報
【発明の開示】
【発明が解決しようとする課題】
【０００７】
しかしながら、従来のデータ入出力装置では、装置本体カバーの扉を開いて磁気カードをカードリーダに通す前に誤って手に持った磁気カードが扉を吸着するための永久磁石に接触して磁気カードに記憶されたデータを消去させてしまい、磁気カードに記憶されたデータがカードリーダで読み取れなくなってしまうおそれがあるという問題があった。このような問題は、通常の操作では起きない問題であるが、例えば、運転者が別のことに気を取られている間に磁気カードを持った手を永久磁石の近傍に移動させてしまうことが考えられる。その場合、運転者自身が気付かないうちに磁気カードのデータが消去されているため、その後、磁気カードをカードリーダに通してもカードデータを読み取ることができないので、カードエラーとなってしまい、入力操作が行えなくなる。
【０００８】
そこで、本発明は上記事情に鑑み、上記課題を解決したデータ入出力装置を提供することを目的とする。
【課題を解決するための手段】
【０００９】
上記課題を解決するため、本発明は以下のような手段を有する。
【００１０】
本発明は、データが磁気的に記憶された磁気記憶媒体と接触して当該データを読み取るデータ読取り機と、前記データ読取り機により読み取られたデータに基づいて各種演算処理を行なう制御部とを備える装置本体と、
少なくとも前記データ読取り機が設けられた操作面を露出させる開口部を有し、前記開口部を除く前記装置本体の他の各面を覆うように形成された装置本体カバーと、
前記装置本体カバーの前記開口部の一側に回動可能に支持され、前記操作面を覆う閉位置または前記操作面を開放する開位置に開閉操作される扉と、
前記扉の背面側に固定された磁性材からなる被吸着部材と、
前記扉が閉位置にあるとき前記被吸着部材に当接して吸着するように前記装置本体カバー側に取り付けられた永久磁石と、
を有するデータ入出力装置において、
前記永久磁石の周囲を覆うように非磁性材により形成され、前記装置本体カバーから離間した位置に取り付けられた磁石保持部材を備え、
前記磁石保持部材は、前記永久磁石を前記装置本体カバーの前側縁部より前記装置本体カバー内に所定距離引っ込んだ位置に保持し、
前記被吸着部材を前記扉の背面側から前記装置本体カバー内に前記所定距離突出した形状とすることにより、上記課題を解決するものである。
本発明の前記永久磁石は、前記装置本体カバーと前記磁気記憶媒体のデータが消去されない距離離間することにより、上記課題を解決するものである。
本発明の前記永久磁石は、前記装置本体カバーの天板から離間した位置に設けられることにより、上記課題を解決するものである。
【発明の効果】
【００１１】
本発明によれば、永久磁石を装置本体カバーの前側縁部より装置本体カバー内に所定距離引っ込んだ位置に設け、被吸着部材を扉の背面側から装置本体カバー内に所定距離突出した形状としたため、閉位置の扉を永久磁石により吸着することができると共に、磁気記憶媒体が誤って装置本体カバーの前側縁部に接近させても永久磁石に接触することがなく、扉を吸着するための永久磁石によって磁気記憶媒体に記憶されたデータが消去されてしまうことを防止することが可能になる。
また、本発明によれば、永久磁石の周囲を覆うように非磁性材により形成され、装置本体カバーから離間した位置に取り付けられた磁石保持部材を備えてなるため、磁気記憶媒体が誤って装置本体カバーに接触した場合でも磁気記憶媒体に記憶されたデータが消去されてしまうことを防止することが可能になる。
【００１３】
また、本発明によれば、永久磁石が装置本体カバーと磁気記憶媒体のデータが消去されない距離離間するため、磁気記憶媒体が装置本体カバーに接触しても当該磁気記憶媒体に磁気的に記憶されたデータが消去されることを防止できる。
また、本発明によれば、永久磁石が装置本体カバーの天板から離間した位置に設けられているので、磁気記憶媒体が装置本体カバーの天板に接触しても当該磁気記憶媒体に磁気的に記憶されたデータが消去されることを防止できる。
【発明を実施するための最良の形態】
【００１４】
以下、図面を参照して本発明を実施するための最良の形態について説明する。
【実施例１】
【００１５】
図１は本発明によるデータ入出力装置の一実施例が用いられた燃料供給システムを示す斜視図である。図１に示されるように、燃料供給システム１０は、例えば、多数のトラック２０を所有する運送会社の敷地に設置されている。この給油システム１０は、地下に埋設された地下タンク３０と、地下タンク３０からの給油配管４０が接続された給油装置５０と、給油装置５０の近傍に設置された設定装置（データ入出力装置）６０とから構成されている。
【００１６】
給油装置５０は、給油ホース５４を介して複数の給油ノズル５２が接続されており、例えば、軽油用あるいはレギュラーガソリン用の給油ノズルが設けられている。また、給油装置５０は、設定装置６０の制御装置と接続されており、後述するように設定装置６０において設定操作（入力操作）が完了すると、設定された条件（選択された油種の給油ノズル、給油量）に基づいて給油が許可される。
【００１７】
また、トラック２０の運転者は、給油すべき油種、給油量を各給油ノズル５２に対応させて設定装置６０による設定操作を行なってから給油ノズル５２を用いた給油操作を行なう。尚、図１においては、１台の給油装置５０しか表示していないが、設定装置６０により複数の給油装置５０に対する設定操作を行なうことも可能である。また、給油装置５０では、異なる油種を供給する複数の給油ノズル５２を有する構成としても良いし、あるいは同じ油種を供給する複数の給油ノズル５２を有する構成としても良い。
【００１８】
図２は設定装置６０を拡大して示す正面図である。図２に示されるように、設定装置６０は、箱状に形成された装置本体カバー７０が脚部７２により操作しやすい高さ位置に支持されており、装置本体カバー７０の前面開口が扉８０によって閉塞されている。扉８０は、例えば、透光性を有するアクリル板等からなり、左側端部が蝶番９０により左側方に回動可能に支持されている。また、扉８０は、左側端部及び上側端部が金属プレート９２，９４によって補強されている。
【００１９】
設定装置６０を操作する運転者は、扉８０の取っ手８２を把持して扉８０を左側方に回動させて開いた状態にして各種操作を行なう。また、設定装置６０による各種操作が終了して取っ手８２を離すと扉８０が閉位置に復帰するようにばね部材により付勢されている。
【００２０】
図３は設定装置６０の扉８０を開いた状態を拡大して示す正面図である。図４は設定装置６０の扉８０を開いた状態を示す斜視図である。図５は設定装置６０の扉８０を開いた状態を示す平面図である。図３乃至図５に示されるように、装置本体カバー７０は、鉄板を箱状に加工したものであり、前面開口を除く５面（左右側面、上面、下面、背面）を覆うように形成されている。
扉８０を開くことにより、操作パネル１００が装置本体カバー７０の前面開口より露出する。また、操作パネル１００の前面に形成された操作面には、液晶モニタからなるタッチパネル方式のディスプレイ１２０と、無線タグ読み取り部１３０と、カードリーダ（データ読取り機）１４０と、伝票発行部１５０と、スピーカ１６０とが設けられている。
【００２１】
カードリーダ１４０は、上下方向に延在するカード挿通溝１４２内に磁気カードに記憶されたデータを読み取る磁気ヘッド(図３中、隠れて見えない)が設けられている。カード挿通溝１４２は、上部にカード挿入部１４４を有し、下部にカード引き抜き部１４６を有する。従って、運転者は、磁気カードをカード挿入部１４４からカード挿通溝１４２に挿入し、下方にスライドしてデータを読み取らせた後、カード引き抜き部１４６から磁気カードを引き抜く。磁気カードの磁気記憶部は、長辺方向に延在形成されているので、磁気カードがカード挿入部１４４からカード引き抜き部１４６に移動する過程で磁気カードのデータが入力される。
【００２２】
また、運転者が、無線タグを有するＩＣカードを所持している場合は、無線タグ読み取り部１３０にＩＣカードをかざして無線タグに記憶されたデータを入力する。このように、磁気カードまたはＩＣカードのデータを入力した上で、ディスプレイ１２０の画面上に形成されたタッチパネル１２２を操作する。この後、タッチパネル１２２を操作して給油すべき油種(または給油ノズル)、給油量（満タン給油またはプリセット給油）を入力する。従って、タッチパネル１２２は、操作手順をガイダンスしながら設定内容を表示する表示装置と、運転者が表示画面に触れることにより設定情報を入力する入力装置とを兼ねている。
【００２３】
扉８０は、装置本体カバー７０の左側面に掛止されたコイルバネ１７０のバネ力によって閉方向に付勢されている。そして、扉８０の背面側の左端上部には、鉄材により形成された被吸着部材１８０が固定されている。被吸着部材１８０は、両端部が扉８０にネジ止めされており、中央部分がコ字状に曲げ加工されて背面側に所定距離突出している。
【００２４】
また、扉８０の背面側の右端には、ゴム製のストッパ部材１９０が背面方向に突出した位置に保持部材１９２により保持されている。さらに、装置本体カバー７０の天板内壁（上部右側）には、被吸着部材１８０を磁力で吸着する吸着部２００が設けられている。吸着部２００は、装置本体カバー７０の前側縁部より所定距離Ｌ（例えば、Ｌ≒１０ｍｍ）だけ背面側に引っ込んだ位置に永久磁石２１０を保持している。
【００２５】
装置本体カバー７０の内部には、前面側を開閉可能に覆う操作パネル(前面パネル)１００と、各機器を収納する操作ボックス(筐体)１１０とを有する装置本体が収納されている。操作ボックス１１０の内部には、操作パネル１００に配された各機器を動作制御するための制御装置及び電源回路などが収容されている。また、操作パネル１００は、操作ボックス１１０に対してキー１０２により施錠されており、キー１０２を解錠されると、開放方向に回動することが可能になる。
【００２６】
図６は扉８０を閉じた状態を示す平面図である。図７は扉８０の被吸着部材１８０が吸着部２００に吸着された状態を拡大して示す図である。図６及び図７に示されるように、吸着部２００は、永久磁石の磁力によって被吸着部材１８０を吸着して扉８０を装置本体カバー７０の前面開を閉塞する閉位置に保持する。そのため、扉８０はコイルバネ１７０のバネ力と共に、吸着部２００によって閉位置に保持されて装置本体カバー７０内の装置本体を風雨から保護する。
【００２７】
ここで、吸着部２００の構成について説明する。図８は吸着部２００の平面図である。図９は吸着部２００の正面図である。図８及び図９に示されるように、吸着部２００は、永久磁石２１０と、永久磁石２１０を保持する磁石保持部材２２０と、磁石保持部材２２０を装置本体カバー７０の天板７４の内壁に固定するための中空形状の第１支柱部材２３０と、磁石保持部材２２０の下側を覆う磁石カバー部材２４０と、磁石カバー部材２４０を装置本体カバー７０の天板７４の内壁に固定するための中空形状の第２支柱部材２５０とを有する。
磁石保持部材２２０は、永久磁石２１０を収容するようにコ字状に窪んだ凹部２２２と、凹部２２２の左右両側に延在する鍔部２２４とを有する。鍔部２２４は、金属製のビス２２６によって第１支柱部材２３０の下端に締結される。凹部２２２は、永久磁石２１０の底面、左右側面、前面下部に当接するような寸法形状に形成されており、永久磁石２１０が扉８０を開く際に脱落しないように保持している。
【００２８】
また、磁石保持部材２２０は、装置本体カバー７０の前側縁部より所定距離Ｌだけ背面側に引っ込んだ位置に取り付けられている。この所定距離Ｌは、扉８０の背面から被吸着部材１８０の端部１８２までの突出距離と同じである。従って、永久磁石２１０は、装置本体カバー７０の前側縁部より所定距離Ｌより内部に引っ込んだ状態で取り付けられている。これにより、磁気カードを装置本体カバー７０の前側に接近させてしまった場合でも、永久磁石２１０の磁力によって磁気カードのデータが消去されることを防止できる。
【００２９】
さらに、永久磁石２１０は、装置本体カバー７０の天板７４から下方に離間した位置に取り付けられるため、天板７４に接触しておらず、天板７４が永久磁石２１０の磁力によって磁化されることがなく、運転者が誤って磁気カードを装置本体カバー７０の天板７４に載置してしまった場合でも、磁気カードに磁気記憶されたデータが消去されてしまうことを防止できる。
【００３０】
また、磁石保持部材２２０及び磁石カバー部材２４０は、非磁性材（例えば、アルミニウム合金やステンレス（ＳＵＳ３０４）など）により形成されている。そのため、永久磁石２１０からの磁束が磁石保持部材２２０及び磁石カバー部材２４０を介して磁気回路を形成することができない構成になっている。従って、直接磁気カードをカードリーダ１４０に挿入しようとして、磁気カードを誤って磁石カバー部材２４０に接触させてしまった場合でも、磁気カードのデータが消去されてしまうことを防止できる。
【００３１】
磁石カバー部材２４０は、磁石保持部材２２０の下方及び左右側面に隙間を介して対向するコ字状に形成されたカバー部２４２と、カバー部２４２の左右両側から水平方向に延在する鍔部２４４と、カバー部２４２の前縁側中央部に設けられた凹部２４６とを有する。鍔部２４４は、金属製のビス２４８によって第２支柱部材２５０の下端に締結される。この凹部２４６は、扉８０を締めた際に永久磁石２１０に吸着された被吸着部材１８０の端部１８２の下方に位置するように形成されている。
【００３２】
凹部２４６は、装置本体カバー７０の前側縁部より所定距離Ｌだけ背面側に凹んだ形状に形成されているが、上下方向に貫通している。そのため、扉８０の蝶番９０が変形して扉８０の回動側端部が下がった状態に傾いても、被吸着部材１８０の端部１８２が凹部２４６内に進入して磁石カバー部材２４０と接触することがない。すなわち、吸着部２００は、扉８０が傾いても被吸着部材１８０の端部１８２が磁石カバー部材２４０に接触して閉まらないといった問題が生じないように構成されている。
【００３３】
図１０は操作パネル１００を開いた状態を示す斜視図である。図１１は操作パネル１００の背面側を示す斜視図である。図１２は操作パネル１００を開位置に係止する係止機構を拡大して示す斜視図である。図１０乃至図１２に示されるように、操作パネル１００は、各機器のメンテナンスを行なう際にキー１０２が解錠されると、操作ボックス１１０に対して開方向に回動させられる。この操作パネル１００は、操作パネル１００の裏面及び操作ボックス１１０の内部に収容された各電子機器のメンテナンスを行なう際に開かれる。従って、メンテナンス作業員は、扉８０を開いた後、キー１０２を解錠して操作パネル１００を開く。
【００３４】
その際、操作パネル１００が約９０°左方に回動されると、操作パネル１００の裏面に設けられた係止機構３００が操作ボックス１１０の左側の前縁部３１０を係止して操作パネル１００が開位置にロックされる。このとき、操作パネル１００の左側に開いた扉８０は、ストッパ部材１９０を操作パネル１００の前面に当接させて開位置に保持されるので、操作パネル１００に接触することが防止される。そして、扉８０は、コイルバネ１７０のバネ力で閉方向に付勢されているが、閉方向側の操作パネル１００が係止機構３００により開位置に係止されているので、操作パネル１００と共に開位置に係止される。
【００３５】
そのため、メンテナンス作業員は、左手で扉８０と操作パネル１００とを開位置に押圧する必要がなくなり、両手を使うことで作業がやりやすくなるため、効率良くメンテナンスを行なうことが可能になる。
【００３６】
ここで、係止機構３００の構成について説明する。図１３は操作パネル１００を閉じたときの係止機構３００の状態を拡大して示す横断面図である。図１４は操作パネル１００をほぼ９０°開いたときの係止機構３００の状態を拡大して示す横断面図である。
【００３７】
図１３に示されるように、係止機構３００は、操作パネル１００の裏面に固定された第１ストッパ金具３２０と、第１ストッパ金具３２０の内側で操作ボックス１１０の前縁部３１０を挟持する第２ストッパ金具３３０とを有する。第１ストッパ金具３２０は、板金をクランク状に曲げ加工したものであり、操作パネル１００の裏面に固定される固定部３２２と、固定部３２２より背面側（装置本体内側）に９０°曲げられた腕部３２４と、腕部３２４よりコ字状に曲げられた係止部３２６とを有する。
第２ストッパ金具３３０は、板バネよりなり、操作パネル１００の裏面に固定される固定部３３２と、固定部３３２より４５°曲げられたバネ部３３４と、バネ部３３４の端部より背面側（装置本体内側）に４５°曲げられた当接部３３４とを有する。
第１ストッパ金具３２０の固定部３２２及び第２ストッパ金具３３０の固定部３３２は、互いに重ね合わせた状態で同じビス３４０により操作パネル１００の裏面に締結される。この取付状態においては、第１ストッパ金具３２０の係止部３２６の内壁に対して第２ストッパ金具３３０の当接部３３４が近接対向する。
【００３８】
一方、操作パネル１００は、蝶番３５０を介して操作ボックス１１０の左側面に対して回動可能に支持されている。そのため、操作パネル１００に設けられた第１ストッパ金具３２０及び第２ストッパ金具３３０は、操作パネル１００の開閉に伴って蝶番３５０を中心に回動する。
【００３９】
図１４に示されるように、操作パネル１００が閉位置（図１３に示す）から左方向に９０°回動されて開位置に至ると、操作パネル１００の左側面より９０°曲げられた前縁部３１０が相対的に第１ストッパ金具３２０の係止部３２６と第２ストッパ金具３３０の当接部３３４との隙間に嵌合する。そして、第２ストッパ金具３３０は、前縁部３１０に対する相対的な回動動作よって弾性変形し、そのバネ力によって前縁部３１０を挟持することで操作パネル１００を開位置に係止する。
【００４０】
このように、操作パネル１００は、閉位置からほぼ９０°開方向に回動させたとき、操作ボックス１１０の前縁部３１０が係止機構３００の第１ストッパ金具３２０と第２ストッパ金具３３０との間で挟持されるため、特別な操作をすることなく、開位置にロックされる。また、操作ボックス１１０内の各機器のメンテナンスが終了すると、操作パネル１００を閉方向に押圧して回動させることで、第２ストッパ金具３３０が弾性変形して第１ストッパ金具３２０から離間するので、特別な操作をすることなく、係止機構３００による係止が解除される。
【００４１】
よって、係止機構３００は、操作パネル１００の開閉操作を通常と同じ操作のままで、操作ボックス１１０の前縁部３１０に対して係止または係止解除を行なうことができるので、メンテナンス時の操作を変更する必要がなく、面倒な係止操作、及び係止解除操作を行なわずに済む。
【産業上の利用可能性】
【００４２】
尚、上記実施例では、ガソリンや軽油などの油液を給油する給油システムを例に挙げて説明したが、これに限らず、これ以外の燃料（例えば、ＣＮＧ，ＬＮＧ，ＬＰＧ、水素など）を供給する燃料供給システムにも本発明を適用することができるのは勿論である。
また、上記実施例では、設定装置６０が給油装置５０と別体に設けられた構成を例示したが、これに限らず、給油装置５０の筐体に設定装置６０が収納された一体構造とされたものにも本発明が適用することができるのは、勿論である。
また、上記実施例では、装置本体カバー７０の天板７４の内壁に吸着部２００を設けた構成を一例として示したが、これに限らず、例えば、吸着部２００を装置本体カバー７０の側板内壁、あるいは底板内壁に設ける構成としても良いのは、言うまでもない。
【００４３】
また、上記永久磁石２１０の取付構造としては、永久磁石２１０が装置本体カバー７０側に固定されていれば良いので、永久磁石２１０を装置本体カバー７０に直接的に固定する構成でも良いし、あるいは、永久磁石２１０を装置本体カバー７０に固定された取付部材（例えば、上記磁石カバー部材２４０等）に取付ける構成でも良いのは勿論である。
【図面の簡単な説明】
【００４４】
【図１】本発明によるデータ入出力装置の一実施例が用いられた燃料供給システムを示す斜視図である。
【図２】設定装置６０を拡大して示す正面図である。
【図３】設定装置６０の扉８０を開いた状態を拡大して示す正面図である。
【図４】設定装置６０の扉８０を開いた状態を示す斜視図である。
【図５】設定装置６０の扉８０を開いた状態を示す平面図である。
【図６】扉８０を閉じた状態を示す平面図である。
【図７】扉８０の被吸着部材１８０が吸着部２００に吸着された状態を拡大して示す図である。
【図８】吸着部２００の平面図である。
【図９】吸着部２００の正面図である。
【図１０】操作パネル１００を開いた状態を示す斜視図である。
【図１１】操作パネル１００の背面側を示す斜視図である。
【図１２】操作パネル１００を開位置に係止する係止機構を拡大して示す斜視図である。
【図１３】操作パネル１００を閉じたときの係止機構３００の状態を拡大して示す横断面図である。
【図１４】操作パネル１００をほぼ９０°開いたときの係止機構３００の状態を拡大して示す横断面図である。
【符号の説明】
【００４５】
１０  燃料供給システム
２０  トラック
３０  地下タンク
４０  給油配管
５０  給油装置
５２  給油ノズル
５４  給油ホース
６０  設定装置
７０  装置本体カバー
８０  扉
１００  操作パネル
１１０  装置ボックス
１２０  ディスプレイ
１３０  無線タグ読み取り部
１４０  カードリーダ
１４２  カード挿通溝
１５０  伝票発行部
１７０  コイルバネ
１８０  被吸着部材
２００  吸着部
２１０  永久磁石
２２０  磁石保持部材
２３０  第１支柱部材
２４０  磁石カバー部材
２４２  カバー部
２４６  凹部
２５０  第２支柱部材
３００  係止機構
３１０  前縁部
３２０  第１ストッパ金具
３３０  第２ストッパ金具
【図１】
0004847926.tif 000002
【図２】
0004847926.tif 000003
【図３】
0004847926.tif 000004
【図４】
0004847926.tif 000005
【図５】
0004847926.tif 000006
【図６】
0004847926.tif 000007
【図７】
0004847926.tif 000008
【図８】
0004847926.tif 000009
【図９】
0004847926.tif 000010
【図１０】
0004847926.tif 000011
【図１１】
0004847926.tif 000012
【図１２】
0004847926.tif 000013
【図１３】
0004847926.tif 000014
【図１４】
0004847926.tif 000015